(57)【特許請求の範囲】
【請求項１】
重錘と前記重錘に被覆される弾性体とこれらを収納するハウジングとからなる振動低減装置が管状構造体に圧入される管状構造体の防振構造において、
前記ハウジングは前記弾性体により被覆された前記重錘が収納される収納部と前記収納部を延長した位置に形成された最大径の圧入部とからなり、
前記収納部の内面と前記弾性体との間に所定の隙間が形成され、
前記収納部の外径は前記管状構造体の内径よりも小さく、
前記圧入部の外径は前記管状構造体の内径よりも大きいことを特徴とする管状構造体の防振構造。
【請求項２】
重錘と前記重錘に被覆される弾性体と前記弾性体の一部を保持する最大径の保持部材とが管状構造体に圧入される管状構造体の防振構造において、
前記弾性体は前記保持部材に保持された基端部から連結部を経て前記重錘が埋設された重量部に至る構成をなし、
前記弾性体の外径は前記管状構造体の内径よりも小さく、
前記保持部材の外径は前記管状構造体の内径よりも大きく、
前記弾性体を保持する前記保持部材が前記管状構造体に圧入されると、前記連結部及び前記重量部の外周面と管状構造体の内周面との間に所定の隙間が形成されることを特徴とする管状構造体の防振構造。
【発明の詳細な説明】
【０００１】
【発明の属する技術分野】
本発明は、管状構造体の防振構造に関する。
【０００２】
【従来の技術】
従来より弾性体により被覆された重錘を所定の隙間を持たせてハウジングの中に保持させた振動低減装置である所謂インパクトダンパーが存在する。
【０００３】
インパクトダンパーは、振動入力時にハウジングに対して重錘を相対的に変位して重錘が弾性体を介してハウジングの内面に当接し、その際の滑り摩擦及び衝突によるエネルギ損失に基づいて振動減衰性が得られるもので、小さい質量の重錘で周波数の異なる複数の共振に対しても振動減衰効果を得ることができる。
【０００４】
斯かるインパクトダンパーを例えば車両のシートフレームやドライブシャフト、プロペラシャフト、サスペンションアーム等で用いられる管状構造体に適用する場合、インパクトダンパーを管状構造体の中に圧入することが考えられる。
【０００５】
【発明が解決しようとする課題】
しかしこのインパクトダンパーにおけるハウジングと弾性体に被覆された重錘との間の隙間は、例えば0.2mmという狭いクリアランスであり、十分な振動減衰効果を得るに必要な精度は0.02mmという高い精度が要求される。
【０００６】
インパクトダンパーの重錘を収納する収納部を有するハウジングを管状構造体の中へ圧入することは、収納部が圧縮されてわずかでも変形を余儀なくされる。したがって前記重錘と収納部内面との間の隙間を高い精度で確保することは困難である。
【０００７】
本発明は斯かる点に鑑みなされたもので、その目的とする処は、ハウジングと重錘との隙間の寸法精度を高く維持して管状構造体に圧入により簡単な構造で振動低減装置を構成することができる管状構造体の防振構造を安価に供する点にある。
【０００８】
【課題を解決するための手段及び作用効果】
上記目的を達成するために、本請求項１記載の発明は、重錘と前記重錘に被覆される弾性体とこれらを収納するハウジングとからなる振動低減装置が管状構造体に圧入される管状構造体の防振構造において、前記ハウジングは前記弾性体により被覆された前記重錘が収納される収納部と前記収納部を延長した位置に形成された最大径の圧入部とからなり、
前記収納部の内面と前記弾性体との間に所定の隙間が形成され、前記収納部の外径は前記管状構造体の内径よりも小さく、前記圧入部の外径は前記管状構造体の内径よりも大きい管状構造体の防振構造とした。
【０００９】
管状構造体に振動低減装置を挿入するとき、最大径のハウジング圧入部が圧入されるので、重錘の収納された収納部は圧縮を受けずにハウジングと重錘との隙間の寸法精度を高く維持しながら振動低減装置を管状構造体に固定して簡単な構造の管状構造体の防振構造を安価に構成することができる。
【００１０】
請求項２記載の発明は、重錘と前記重錘に被覆される弾性体と前記弾性体の一部を保持する最大径の保持部材とが管状構造体に圧入される管状構造体の防振構造において、前記弾性体は前記保持部材に保持された基端部から連結部を経て前記重錘が埋設された重量部に至る構成をなし、前記弾性体の外径は前記管状構造体の内径よりも小さく、前記保持部材の外径は前記管状構造体の内径よりも大きく、前記弾性体を保持する前記保持部材が前記管状構造体に圧入されると、前記連結部及び前記重量部の外周面と管状構造体の内周面との間に所定の隙間が形成されることを特徴とする管状構造体の防振構造である。
【００１１】
管状構造体に弾性体を挿入するとき、基端部が保持される最大径の保持部材が圧入されるので、連結部及び重量部の外周面と管状構造体の内周面との間に隙間を高い精度で維持しながら管状構造体をハウジングとする簡単な構造の防振構造を安価に構成することができる。
【００１２】
【発明の実施の形態】
以下本発明に係る一実施の形態の管状構造体の防振構造を図１及び図２に基づいて説明する。
本実施の形態は、振動低減装置であるインパクトダンパー１を管状構造体であるドライブシャフト等のパイプ10に取り付ける構造のものである。
【００１３】
インパクトダンパー１のハウジング２は、有底円筒状をしており、円筒状の収納部３の端部の底壁が厚く外径が拡大して最大径をなして圧入部４を形成している。
収納部３の内部に、ゴム弾性体６により被覆された円柱状の重錘５が挿入されて、収納部３の開口は蓋部材７により閉塞されている。
【００１４】
収納部３の内面と重錘５を覆うゴム弾性体６の外面との間の隙間Ｃは、所定の幅に高精度に設定されてインパクトダンパー１を構成している。
ハウジング２の収納部３の外径は、パイプ10の内径より僅かに小さく、ハウジング２の圧入部４の外径は、パイプ10の内径より僅かに大きい。
【００１５】
したがってパイプ10に該インパクトダンパー１を挿入する際、ハウジング２の収納部３は抵抗なく挿入され、ハウジング２の圧入部４が治具を用いて圧入され、図２に示すようにパイプ10の所定位置に固定される。
【００１６】
重錘５の収納された収納部３はパイプ10により圧縮を受けることがないので、ハウジング２とゴム弾性体６が被覆された重錘５との隙間Ｃの寸法精度を高く維持しながらインパクトダンパー１をパイプ10に取り付けて簡単な構造のパイプ10のインパクトダンパー構造を安価に構成することができる
【００１７】
ゴム弾性体６とハウジング２との間の隙間Ｃを所要の幅に高精度に形成されたインパクトダンパー１は、振動入力時にハウジング２に対して重錘５が相対的に変位して重錘５を被覆するゴム弾性体６が収納部３の内面に当接し、その際の滑り摩擦及び衝突によるエネルギ損失に基づいて振動減衰性が得られるので、比較的小さな質量の重錘５で低周波域から高周波域に亘り多数の共振周波数においてピークレベルが抑えられ、量産ばらつきを容易に低減することができ、さらに温度の影響を殆ど受けず温度によって制振効果が低下することはない。
【００１８】
また重錘５がハウジング２とゴム弾性体６を介して連結されてダイナミックダンパーとしても機能しており、特に突出して高い共振ピークを示す周波数があれば、重錘５の質量とゴム弾性体６のばね定数を調整して特定の共振を抑えることができる。
【００１９】
次に別の実施の形態について図３ないし図６に基づいて説明する。
本実施の形態のインパクトダンパー構造は、振動低減しようとするパイプ30をインパクトダンパーのハウジングとして利用するものである。
【００２０】
円柱状をしたゴム弾性体21は、基端部21ａから連結部21ｂを経て重錘22が埋設した重量部21ｃに至る構造をしており、基端部21ａに偏平な有底円筒状をした保持部材23が嵌着され、保持部材23がゴム弾性体21の基端部21ａを保持する。
【００２１】
ゴム弾性体21の外径は、パイプ30の内径より所定幅小さく、保持部材23の外径は、パイプ30の内径より僅かに大きい。
この保持部材付きゴム弾性体21をパイプ30内に挿入する際、ゴム弾性体21の重量部21ｃと連結部21ｂは抵抗なく挿入され、基端部21ａに嵌着された保持部材23が治具で押されて圧入され、図４に示すようにパイプ30の所定位置に固定される。
【００２２】
ゴム弾性体21は、パイプ30に重量部21ｃを先にして挿入され基端部21ａが保持部材23を介してパイプ30に圧入されるので、所定位置に固定されたとき重錘22が埋設された重量部21ｃに対向するパイプ部分は変形を受けずに所定の内径が維持されるため、パイプ30と重量部21ｃとの間の隙間Ｃを所定幅に高い精度で確保することができる。
部品点数が少なく簡単な構造のインパクトダンパー20を容易に構成することができる。
【００２３】
振動入力があると、図５及び図６に示すようにゴム弾性体21は、基端部21ａを保持部材23を介して固定されて重量部21ｃが連結部21ｂの弾性変形により振り子のように揺動し、重量部21ｃがパイプ30に当接し、その際の滑り摩擦及び衝突によるエネルギ損失に基づいて振動減衰効果が得られる。
【００２４】
低周波域から高周波域に亘り多数の共振周波数においてピークレベルが抑えられ、量産ばらつきを容易に低減することができ、さらに温度の影響を殆ど受けず温度によって制振効果が低下することはない。
【００２５】
また重錘22がパイプ30とゴム弾性体21を介して連結されているので、ダイナミックダンパーとしても機能し、特に突出して高い共振ピークを示す周波数があれば、重錘22の質量とゴム弾性体21のばね定数を調整して特定の共振を抑えることができる。
【００２６】
なおゴム弾性体21の弾性力により静的に重錘22の芯の位置が一定に保たれ、パイプ30全体のアンバランスを生じ難い。
【００２７】
以上の実施の形態のインパクトダンパーは、円筒状のパイプの防振を想定したので、ハウジングの収納部及び重錘が円筒状及び円柱状をしていたが、角筒状をした管状構造物の場合は、ハウジングの収納部及び重錘も角筒状及び角柱状に構成することで適用することができる。
【００２８】
なお重錘は鋼鉄性であるが、素材としては鋼鉄に限らず密度の高い種々のものが考えられる。
弾性体は、ゴムのほか樹脂あるいはこれを主成分とした弾性発泡体等から形成され、高比重ゴム等が適しており、表面は滑らかな平面ないし曲面を有しているが、凹凸形状を有していてもよい。
【図面の簡単な説明】
【図１】本発明の一実施の形態に係る防振構造を構成するパイプとインパクトダンパーの取り付け直前の状態を示す断面図である。
【図２】パイプにインパクトダンパーを取り付けた状態を示す断面図である。
【図３】別の実施の形態に係るインパクトダンパーを組み立てる直前の状態を示す断面図である。
【図４】組み立てられたインパクトダンパー構造の断面図である。
【図５】同インパクトダンパーの振動入力時の状態を示す断面図である。
【図６】同インパクトダンパーの振動入力時の別の状態を示す断面図である。
【符号の説明】
１…インパクトダンパー、２…ハウジング、３…収納部，４…圧入部、５…重錘、６…ゴム弾性体、７…蓋部材、10…パイプ、  20…インパクトダンパー、21…ゴム弾性体、22…重錘、23…保持部材、30…パイプ
Ｃ…隙間。
【図１】
0004471507.tif 000002
【図２】
0004471507.tif 000003
【図３】
0004471507.tif 000004
【図４】
0004471507.tif 000005
【図５】
0004471507.tif 000006
【図６】
0004471507.tif 000007